(57)【要約】【課題】輝度及び効率を向上させることができるプラズマディスプレイパネルを提供する。【解決手段】本発明によるプラズマディスプレイパネルは、所定の距離を隔てて平行に離間された透明電極１１４Ａ、１１６Ａと、透明電極１１４Ａ、１１６Ａの各々の外側の長辺側に前記透明電極１１４Ａ、１１６Ａと平行に位置するように形成された金属電極１１４Ｂ、１１６Ｂと、前記透明電極１１４Ａ、１１６Ａの各々の内側の長辺側に、前記透明電極１１４Ａ、１１６Ａと平行に位置するように形成された補助金属電極１１４Ｃ、１１６Ｃとを備えることを特徴とする。【選択図】  図１
2004296442.tif 000002
【特許請求の範囲】
【請求項１】
所定距離を隔てて平行に離隔された透明電極と、
前記透明電極の各々の一端側に、前記透明電極と平行に位置するように、前記透明電極の各々の上に形成された金属電極と、
前記透明電極の各々の対向する辺の方に偏って位置するように、前記透明電極の各々の上に形成された補助金属電極と、
を備えることを特徴とするプラズマディスプレイパネル。
【請求項２】
前記補助金属電極は、前記透明電極の幅方向の中心と前記対向する辺との間に形成されることを特徴とする請求項１に記載のプラズマディスプレイパネル。
【請求項３】
前記補助金属電極の各々は、２列以上で平行に形成されることを特徴とする請求項２に記載のプラズマディスプレイパネル。
【請求項４】
前記補助金属電極は、一つの前記透明電極上に３つの補助金属電極が三角形の形態を成すように形成されることを特徴とする請求項２に記載のプラズマディスプレイパネル。
【請求項５】
前記補助金属電極の各々は、四角形の形状を有することを特徴とする請求項２に記載のプラズマディスプレイパネル。
【請求項６】
前記補助金属電極の各々は、同一間隔に形成される多数の電極パターンを備えることを特徴とする請求項１に記載のプラズマディスプレイパネル。
【請求項７】
所定距離を隔てて平行に離隔された透明電極と、
前記透明電極の各々の対向する辺の方に偏って前記透明電極と平行に位置するように、前記透明電極の各々の上に形成された金属電極と、
前記透明電極の各々の一端と前記金属電極との間に前記透明電極と平行に位置するように、前記透明電極の各々の上に形成された補助金属電極と、
を備えることを特徴とするプラズマディスプレイパネル。
【請求項８】
前記金属電極は、前記透明電極の幅方向の中心と前記対向する辺との間に形成されることを特徴とする請求項７に記載のプラズマディスプレイパネル。
【請求項９】
前記補助金属電極の各々は、２列以上で平行に形成されることを特徴とする請求項７に記載のプラズマディスプレイパネル。
【請求項１０】
前記補助金属電極は、一つの透明電極上に３つの補助金属電極が三角形の形態を成すように形成されることを特徴とする請求項７に記載のプラズマディスプレイパネル。
【請求項１１】
前記補助金属電極の各々は、四角形の形状を有することを特徴とする請求項７に記載のプラズマディスプレイパネル。
【請求項１２】
前記補助金属電極の各々は、同一間隔に形成される多数の電極パターンを備えることを特徴とする請求項７に記載のプラズマディスプレイパネル。
【発明の詳細な説明】
【技術分野】
【０００１】
本発明は、プラズマディスプレイパネルに関し、さらに詳細するように、輝度及び効率を向上させることができるプラズマディスプレイパネルに関する。
【背景技術】
【０００２】
最近、陰極線管（Cathode Ray Tube：ＣＲＴ）の短所である重さと嵩とを減らすことができる各種平板表示装置が開発されている。このような平板表示装置には、液晶表示装置（Liquid Crystal Display：ＬＣＤ）、電界放出表示装置（Field Emission Display：ＦＥＤ）、プラズマディスプレイパネル（Plasma Display Panel：ＰＤＰ）、及びエレクトロルミネッセンス(Electro-Luminescence：ＥＬ)表示装置などがある。
【０００３】
この中で、ＰＤＰは、気体放電を利用した表示素子であって、大型パネルの製作が容易だという長所がある。ＰＤＰとしては、図１８に示すように、３電極を備えて交流電圧によって駆動される交流型３電極面放電方式ＰＤＰが代表的である。
【０００４】
図１８は、一般的な交流型ＰＤＰにマトリックス状に配列されるセル構造を示す斜視図である。図１８を参照すると、従来のＰＤＰセルは、前面基板１０上に順次形成された維持電極対１４、１６、上部誘電体層１８、及び保護層２０を有する上板と、背面基板１２上に順次形成されたアドレス電極２２、下部誘電体層２４、隔壁２６、及び蛍光体層２８を有する下板を備えている。前面基板１０と背面基板１２とは隔壁２６によって平行に離間される。
【０００５】
上部誘電体層１８と下部誘電体層２４には電荷が蓄積される。保護層２０は、スパッタリングによる上部誘電体層１８の損傷を防止して、ＰＤＰの寿命を延長するだけでなく、２次電子の放出効率を高めるものである。保護層２０としては、通常、酸化マグネシウム（ＭｇＯ）が用いられる。
【０００６】
アドレス電極２２は、維持電極対１４、１６と交差するように形成される。このアドレス電極２２には、表示されるセルを選択するためのデータ信号が供給される。
【０００７】
隔壁２６は、アドレス電極２２と平行に形成され、放電によって生成された紫外線が隣接するセルに漏洩することを防止する。このとき、隔壁２６は、サブピクセルの境界ラインに存在することもできるし、存在しないこともできる。
【０００８】
蛍光体層２８は、下部誘電体層２４及び隔壁２６の表面に塗布され、赤色、緑色または青色のいずれかの可視光線を発生する。そして、ガス放電のための不活性ガスが内部の放電空間に注入される。
【０００９】
前面基板１０と背面基板１２及び隔壁２６との間に設けられる放電空間には、ガス放電のためのＨｅ＋Ｘｅ、Ｎｅ＋Ｘｅ、Ｈｅ＋Ｘｅ＋Ｎｅなどの不活性ガスが注入される。
【００１０】
このような維持電極対１４、１６は、走査電極１４と維持電極１６とから構成される。走査電極１４には、パネル走査のための走査信号と放電維持のための維持信号が主に供給され、維持電極１６には維持信号が主に供給される。
【００１１】
維持電極対１４、１６の各々は、相対的に広い幅を有するストライプ形態であって可視光透過のために透明電極材料（ＩＴＯ）からなる透明電極１４Ａ、１６Ａと、相対的に狭い幅を有して透明電極１４Ａ、１６Ａの抵抗を補償するための金属電極１４Ｂ、１６Ｂとからなる。このとき、維持電極対１４、１６の各々の透明電極１４Ａ、１６Ａは、所定のギャップを挟んで対向する。また、維持電極対１４、１６の各々の金属電極１４Ｂ、１６Ｂは、図１９に示すように、放電セルの外縁部に位置するように透明電極１４Ａ、１６Ａの一端側に形成される。つまり、金属電極１４Ｂ、１６Ｂの各々は、透明電極１４Ａ、１６Ａの外端側に形成される。
【００１２】
このような構造のＰＤＰセルは、アドレス電極２２と走査電極１４との間の対向放電によって選択された後、維持電極対１４、１６の間の面放電によって放電を維持する。ＰＤＰセルでは、維持放電時に発生する紫外線によって蛍光体２８が発光することで、可視光がセルの外部に放出される。この結果、セルを有するＰＤＰは、画像を表示する。この場合、ＰＤＰは、ビデオデータに応じてセルの放電維持期間、すなわち維持放電の回数を調節して、映像表示に必要な階調（Gray Scale）を表示する。
【００１３】
このような従来のＰＤＰにおいて、放電空間に注入される不活性ガス中のキセノン（Ｘｅ）は、ガス放電によって励起状態から基底状態に変化する時に発生する真空紫外線を利用して、蛍光体２８を励起する。これによって、不活性ガスに含まれるキセノン（Ｘｅ）の含量が多いほど、放電空間においてガス放電時に発生する真空紫外線の量が多くなってＰＤＰの効率が向上する。しかし、キセノン（Ｘｅ）の含量の増加は、維持電極対１４、１６の間の放電開始電圧と放電維持電圧とを上昇させる要因になる。また、キセノン（Ｘｅ）の含量の増加は、放電遅延時間が増大するなどの放電の不安定性を増大させる。
【００１４】
さらに、従来のＰＤＰでは、透明電極１４Ａ、１６Ａの各々の外端側に金属電極１４Ｂ、１６Ｂが形成されるため、また、金属電極１４Ｂ、１６Ｂの間の距離が大きいため、放電開始電圧及び放電維持電圧が上昇する。これによって、従来のＰＤＰでは、高い放電開始電圧及び放電維持電圧によって放電遅延時間が発生し、不安定な放電を起こすことによって、輝度及び効率が減少する。
【発明の開示】
【発明が解決しようとする課題】
【００１５】
本発明の目的は、輝度及び効率を向上させることができるプラズマディスプレイパネルを提供することにある。
【課題を解決するための手段】
【００１６】
前記目的を達成するため、本発明に係るプラズマディスプレイパネルは、前面基板と背面基板とが一定の距離を隔てて平行に配列されており、透明電極と金属電極とから構成された維持電極対が前面基板に形成されるプラズマディスプレイパネルにおいて、所定の距離を隔てて平行に離隔された透明電極と、前記透明電極の各々の外側の長辺側に前記透明電極に平行に位置するように形成された金属電極と、前記透明電極の各々の内側の長辺側に前記透明電極に平行に位置するように形成された補助金属電極とを備えることを特徴とする。
【００１７】
また、本発明に係るプラズマディスプレイパネルは、所定距離を隔てて平行に離隔された透明電極と、前記透明電極の各々の一端側に、前記透明電極と平行に位置するように前記透明電極の各々の上に形成された金属電極と、前記透明電極の各々の対向する辺の方に偏って位置するように前記透明電極の各々の上に形成された補助金属電極とを備えることを特徴とする。
【００１８】
また、本発明に係るプラズマディスプレイパネルは、所定の距離を隔てて平行に離隔された透明電極と、前記透明電極の各々の対向する辺の方に偏って前記透明電極と平行に位置するように前記透明電極の各々の上に形成された金属電極と、前記透明電極の各々の一端と前記金属電極との間に前記透明電極と平行に位置するように前記透明電極の各々の上に形成された補助金属電極とを備えることを特徴とする。
【発明の効果】
【００１９】
本発明によれば、透明電極上の放電セルの中心部の近くに形成された補助金属電極により、放電空間内に印加される放電セルの中心部での電界強度を増大させて強い放電を誘導することによって、輝度及び効率を向上させることができる。
【００２０】
また、本発明によれば、金属電極間の距離が近いことにより、放電時に金属電極を利用して放電セルの中心部に強い電界を発生させ、発生した放電を補助金属電極を利用して放電セルの縁の方に広げることができる。したがって、本発明は、輝度及び効率を向上させることができ、放電開始電圧及び放電遅延時間の減少させることによって、放電の安定性を向上させることができる。
【発明を実施するための最良の形態】
【００２１】
以下、図１〜図１７を参照して、本発明の望ましい実施形態について詳しく説明する。
【００２２】
<第１実施形態>
図１は、本発明の第１実施形態におけるプラズマディスプレイパネルの放電セルを示す斜視図、図２は、図１に示した本発明の第１実施形態における維持電極対を示す平面図、図３は、図２に示した維持電極対のＡ−Ａ´断面図である。
【００２３】
図１に示すように、本発明の第１実施形態におけるプラズマディスプレイパネル（以下“ＰＤＰ”と称する）は、前面基板１１０上に順次形成された維持電極対１１４、１１６、上部誘電体層１１８、及び保護層１２０を有する上板と、背面基板１１２上に順次形成されたアドレス電極１２２、下部誘電体層１２４、隔壁１２６、及び蛍光体層１２８を有する下板とを備える。前面基板１１０と背面基板１１２とは、隔壁１２６によって平行に離隔される。
【００２４】
本発明の一実施形態によると、維持電極対１１４、１１６を成す維持電極の各々は、透明電極１１４Ａ、１１６Ａと、透明電極上に形成される金属電極１１４Ｂ、１１６Ｂ及び補助金属電極１１４Ｃ、１１６Ｃからなる。このとき、維持電極対１１４、１１６の各透明電極１１４Ａ、１１６Ａは、所定のギャップを挟んで対向している。
【００２５】
透明電極１１４Ａ、１１６Ａは、相対的に広い幅を有するストライプ形態であり、可視光透過のために透明電極材料（ＩＴＯ）からなる。各金属電極１１４Ｂ、１１６Ｂは、透明電極１１４Ａ、１１６Ａの幅よりも狭い幅を有するストライプ形態であり、透明電極１１４Ａ、１１６Ａの各々の一端側に形成される。金属電極１１４Ｂ、１１６Ｂ及び補助金属電極１１４Ｃ、１１６Ｃは、透明電極１１４Ａ、１１６Ａの導電性の不足を補償するために電気伝導率が高い物質からなる。
【００２６】
補助金属電極１１４Ｃ、１１６Ｃの各々は、図２及び図３に示すように、透明電極の幅よりも小さなサイズのストライプ形態であり、透明電極の各々が対向する辺の方に偏って位置するように形成される。望ましくは、補助金属電極１１４Ｃ、１１６Ｃは四角形の形状を有する。また、補助金属電極１１４Ｃ、１１６Ｃは、透明電極１１４Ａ、１１６Ａと平行に、透明電極１１４Ａ、１１６Ａの各々に同一間隔に形成される。
【００２７】
このような多数の補助金属電極１１４Ｃ、１１６Ｃの各々に、放電時に透明電極１１４Ａ、１１６Ａを通じて金属電極１１４Ｂ、１１６Ｂから供給される放電電圧が印加され、放電空間内に印加される電界強度が増大して強い放電が誘導される。これによって、多数の補助金属電極１１４Ｃ、１１６Ｃの各々は、放電セルの中心部に強い電界を誘導することによって、放電開始電圧及び放電維持電圧を減少させる。
【００２８】
このような構造のＰＤＰセルは、アドレス電極１２２と走査電極１１４との間の対向放電によって選択された後、維持電極対１１４、１１６の間の面放電によって放電を維持する。面放電時には、図４に示すように、放電セルの中心部の補助金属電極１１４Ｃ、１１６Ｃの間で強い電流密度が発生し、放電セルの外側に位置する金属電極１１４Ｂ、１１６Ｂの方に徐々に広がっていく。また、面放電時には、図５に示すように、放電セルの中心部の補助金属電極１１４Ｃ、１１６Ｃの間で強い放電が発生し、放電セルの外側に位置する金属電極１１４Ｂ、１１６Ｂの方に徐々に広がっていく。これによって、ＰＤＰセルでは、維持放電時に発生する紫外線によって蛍光体層１２８が発光することで、可視光がセルの外部に放出される。この結果、セルを有するＰＤＰは画像を表示する。この場合、ＰＤＰは、ビデオデータに応じてセルの放電維持期間、すなわち維持放電の回数を調節して、映像表示に必要な階調を表示する。
【００２９】
従来のＰＤＰにおいて、放電空間に注入される不活性ガス中のキセノン（Ｘｅ）は、ガス放電によって励起状態から基底状態に変化する時に発生する真空紫外線を利用して、蛍光体層１２８を励起する。これによって、不活性ガスに含まれるキセノン（Ｘｅ）の含量が多いほど、放電空間においてガス放電時に発生する真空紫外線の量が多くなってＰＤＰの効率が向上する。しかし、キセノン（Ｘｅ）の含量の増加は、維持電極対１１４、１１６の間の放電開始電圧及び放電維持電圧を上昇させる要因になる。
【００３０】
しかし、本発明の第１実施形態におけるＰＤＰは、不活性ガス中のキセノン（Ｘｅ）の含量が増加しても、放電時の放電開始電圧及び放電維持電圧を減少させ、輝度及び効率を向上させることができる。
【００３１】
これを詳しく説明すれば、本発明の第１実施形態におけるＰＤＰは、補助金属電極１１４Ｃ、１１６Ｃの間の距離が近いため、放電時に放電セルの中心部に強い電界を発生させることができる。このような放電セルの中心部の強い電界によって、放電開始電圧及び放電維持電圧は減少する。よって、本発明の第１実施形態におけるＰＤＰの輝度は、図６に示されるように、放電電圧が２６０Ｖのとき、従来のＰＤＰよりも最大で５７％程度向上し、効率は、図７に示すように、放電電圧が２００Ｖのとき、従来のＰＤＰよりも３９％程度向上する。
【００３２】
図８は、本発明の第１実施形態の変形例における維持電極対を示す平面図である。図示されるように、本発明の第１実施形態の変形例におけるＰＤＰでは、前面基板上に順次形成された維持電極対２１４、２１６を除いた他の構成要素は、図１に示す本発明の第１実施形態におけるＰＤＰの各構成要素と同一のため、以下、同一の構成要素の説明は省略する。
【００３３】
本発明の第１実施形態の変形例によると、維持電極対２１４、２１６を成す維持電極の各々は、透明電極２１４Ａ、２１６Ａと、透明電極上に形成される金属電極２１４Ｂ、２１６Ｂ及び補助金属電極２１４Ｃ、２１６Ｃとからなる。このとき、維持電極対２１４、２１６の各透明電極２１４Ａ、２１６Ａは、所定のギャップを挟んで対向している。
【００３４】
透明電極２１４Ａ、２１６Ａは、相対的に広い幅を有するストライプ形態であり、可視光透過のために透明電極材料（ＩＴＯ）からなる。各金属電極２１４Ｂ、２１６Ｂは、透明電極２１４Ａ、２１６Ａの幅よりも狭い幅を有するストライプ形態であり、透明電極２１４Ａ、２１６Ａの各々の一端側に形成される。金属電極２１４Ｂ、２１６Ｂ及び補助金属電極２１４Ｃ、２１６Ｃは、透明電極２１４Ａ、２１６Ａの導電性の不足を補償するために、電気伝導率が高い物質からなる。
【００３５】
補助金属電極２１４Ｃ、２１６Ｃの各々は、図８及び図９に示すように、透明電極の幅よりも小さなサイズのストライプ形態であり、透明電極２１４Ａ、２１６Ａの各々が対向する辺の方に偏って位置するように形成される。望ましくは、補助金属電極２１４Ｃ、２１６Ｃは四角形の形状を有する。また、補助金属電極２１４Ｃ、２１６Ｃは、透明電極２１４Ａ、２１６Ａと平行に、透明電極２１４Ａ、２１６Ａの各々に同一間隔に形成される。多数の補助金属電極２１４Ｃ、２１６Ｃの各々は、図９に示すように、透明電極２１４Ａ、２１６Ａの各々が対向する辺の方に、第１列及び第２列に同一間隔で平行に形成される。
【００３６】
このような多数の補助金属電極２１４Ｃ、２１６Ｃの各々に、放電時に透明電極２１４Ａ、２１６Ａを通じて金属電極２１４Ｂ、２１６Ｂから供給される放電電圧が印加され、放電空間内に印加される電界強度が増大して強い放電が誘導される。これによって、多数の補助金属電極２１４Ｃ、２１６Ｃの各々は、放電セルの中心部に強い電界を誘導することによって、放電開始電圧及び放電維持電圧を減少させる。このとき、面放電時の電流密度と放電は、本発明の第１実施形態と同様であり、図４及び図５に示された通りである。また、輝度及び効率の特性も図６及び図７のようになる。
【００３７】
図１０は、本発明の第１実施形態の他の変形例における維持電極対を示す平面図である。図示されるように、本発明の第１実施形態の他の変形例におけるＰＤＰでは、前面基板上に順次形成された維持電極対３１４、３１６を除いた他の構成要素は、図１に示す本発明の第１実施形態におけるＰＤＰの各構成要素と同一のため、以下、同一の構成要素の説明は省略する。
【００３８】
本発明の第１実施形態の他の変形例によると、維持電極対３１４、３１６を成す維持電極の各々は、透明電極３１４Ａ、３１６Ａと、透明電極上に形成される金属電極３１４Ｂ、３１６Ｂ及び補助金属電極３１４Ｃ、３１６Ｃとからなる。このとき、維持電極対３１４、３１６の各透明電極３１４Ａ、３１６Ａは、所定のギャップを挟んで対向している。
【００３９】
透明電極３１４Ａ、３１６Ａは、相対的に広い幅を有するストライプ形態であり、可視光透過のために透明電極材料からなる。各金属電極３１４Ｂ、３１６Ｂは、透明電極３１４Ａ、３１６Ａの幅よりも狭い幅を有するストライプ形態であり、透明電極３１４Ａ、３１６Ａの各々の一端側に形成される。金属電極３１４Ｂ、３１６Ｂ及び補助金属電極３１４Ｃ、３１６Ｃは、透明電極３１４Ａ、３１６Ａの導電性の不足を補償するために電気伝導率が高い物質からなる。
【００４０】
補助金属電極３１４Ｃ、３１６Ｃの各々は、図１０に示すように、透明電極の幅よりも小さなサイズのストライプ形態であり、透明電極３１４Ａ、３１６Ａの各々が対向する辺の方に偏って位置するように形成される。望ましくは、補助金属電極３１４Ｃ、３１６Ｃは、四角形の形状を有する。また、補助金属電極３１４Ｃ、３１６Ｃは、透明電極３１４Ａ、３１６Ａと平行に、透明電極３１４Ａ、３１６Ａの各々に同一間隔に形成される。また、透明電極３１４Ａ、３１６Ａ上に、３つの補助金属電極３１４Ｃ、３１６Ｃが三角形の形態を成すように形成される。
【００４１】
このような多数の補助金属電極３１４Ｃ、３１６Ｃの各々に、放電時に透明電極３１４Ａ、３１６Ａを通じて金属電極３１４Ｂ、３１６Ｂから供給される放電電圧が印加され、放電空間内に印加される電界強度が増大して強い放電が誘導される。これによって、多数の補助金属電極３１４Ｃ、３１６Ｃの各々は、放電セルの中心部に強い電界を誘導することによって、放電開始電圧及び放電維持電圧を減少させる。このとき、面放電時の電流密度と放電は、本発明の第１実施形態と同様であり、図４及び５に示された通りである。また、輝度及び効率の特性も図６及び図７のようになる。
【００４２】
<第２実施形態>
図１１は、本発明の第２実施形態におけるプラズマディスプレイパネルの放電セルを示す斜視図、図１２は、図１１に示す維持電極対を示す平面図、図１３は、図１２に示す維持電極対のＡ−Ａ´断面図である。
【００４３】
図示されるように、本発明の第２実施形態におけるＰＤＰでは、前面基板上に順次形成された維持電極対を除いた他の構成要素は、図１に示す本発明の第１実施形態におけるＰＤＰの各構成要素と同一のため、以下、同一の構成要素の説明は省略する。
【００４４】
本発明の第２実施形態によると、維持電極対４１４、４１６を成す維持電極の各々は、透明電極４１４Ａ、４１６Ａと、透明電極上に形成される金属電極４１４Ｂ、４１６Ｂ及び補助金属電極４１４Ｃ、４１６Ｃとからなる。このとき、維持電極対４１４、４１６の各透明電極４１４Ａ、４１６Ａは、所定のギャップを挟んで対向している。
【００４５】
各金属電極４１４Ｂ、４１６Ｂは、図１２に示すように、透明電極４１４Ａ、４１６Ａ上の、透明電極４１４Ａ、４１６Ａの各々の中心部と放電セルの中心部との間に形成される。つまり、金属電極４１４Ｂ、４１６Ｂの各々は、透明電極４１４Ａ、４１６Ａの各々が対向する辺の方に偏って位置するように、透明電極４１４Ａ、４１６Ａの各々に形成される。
【００４６】
金属電極４１４Ｂ、４１６Ｂが形成される位置は、次式を満足するのが望ましい。
Ｄ  ＜  Ｈ／４
ここで、Ｈは放電セルの長さであり、Ｄは金属電極４１４Ｂ、４１６Ｂの中心部と放電セルの中心部との間の距離である。このような金属電極４１４Ｂ、４１６Ｂの各々は、放電時に放電セルの中央部の電界強度を増大させて、放電遅延時間と放電開始電圧を減少させる。
【００４７】
補助金属電極４１４Ｃ、４１６Ｃの各々は、図１２に示すように、透明電極の幅よりも小さなサイズのストライプ形態であり、透明電極４１４Ａ、４１６Ａの各々の一端側に偏って位置するように形成される。望ましくは、補助金属電極４１４Ｃ、４１６Ｃは、四角形の形状を有する。このような補助金属電極４１４Ｃ、４１６Ｃの各々は、金属電極４１４Ｂ、４１６Ｂによって発生した放電を、セルの縁の方に広げる役割を果たす。
【００４８】
本発明の第２実施形態におけるＰＤＰは、不活性ガス中のキセノン（Ｘｅ）の含量が増加しても、放電時の放電開始電圧及び放電維持電圧を減少させることができ、また、放電遅延時間を減少させて放電の安定性を向上させることができる。すなわち、本発明の第２実施形態におけるＰＤＰは、金属電極４１４Ｂ、４１６Ｂの間の距離が近いことにより、放電時に放電セルの中心部に強い電界を発生させ、金属電極４１４Ｂ、４１６Ｂによって発生した放電を、補助金属電極４１４Ｃ、４１６Ｃを通じて放電セルの縁の方に広げるものである。これによって、本発明では、放電開始電圧及び放電維持電圧を減少させると共に、輝度及び効率を向上させることができる。また、本発明の第２実施形態におけるＰＤＰは、放電開始電圧及び放電遅延時間を減少させることによって、放電の安定性を向上させることができる。
【００４９】
上述したような本発明の第２実施形態におけるＰＤＰの輝度及び効率を、従来のＰＤＰと比較すると、図１４及び図１５のようになる。図１４から、本発明の第２実施形態におけるＰＤＰの輝度は、同一放電電圧における従来のＰＤＰよりも、約５０%〜７０%程度向上することが分かる。また、図１５に示すように、本発明の第２実施形態におけるＰＤＰの効率は、同一放電電圧における従来のＰＤＰよりも、約４０%〜５０%程度向上する。
【００５０】
図１６は、本発明の第２実施形態の変形例におけるプラズマディスプレイパネルの維持電極対を示す平面図である。
【００５１】
本発明の第２実施形態の変形例によると、維持電極対５１４、５１６を成す維持電極の各々は、透明電極５１４Ａ、５１６Ａと、透明電極上に形成される金属電極５１４Ｂ、５１６Ｂ及び補助金属電極５１４Ｃ、５１６Ｃとからなる。このとき、維持電極対５１４、５１６の各透明電極５１４Ａ、５１６Ａは、所定のギャップを挟んで対向している。
【００５２】
透明電極５１４Ａ、５１６Ａは、相対的に広い幅を有するストライプ形態であり、可視光透過のために透明電極材料（ＩＴＯ）からなる。各金属電極５１４Ｂ、５１６Ｂは、図１６に示すように、透明電極５１４Ａ、５１６Ａ上の、透明電極５１４Ａ、５１６Ａの各々の中心部と放電セルの中心部との間に形成される。
【００５３】
つまり、金属電極５１４Ｂ、５１６Ｂの各々は、透明電極５１４Ａ、５１６Ａの各々が対向する辺の方に偏って位置するように透明電極５１４Ａ、５１６Ａの各々に形成される。このような金属電極５１４Ｂ、５１６Ｂの各々は、放電時に放電セルの中央部の電界強度を増大させて放電遅延時間と放電開始電圧を減少させる。
【００５４】
補助金属電極５１４Ｃ、５１６Ｃの各々は、図１６に示すように、透明電極の幅より小さなサイズのストライプ形態であり、透明電極５１４Ａ、５１６Ａの各々の端と金属電極５１４Ｂ、５１６Ｂとの間に、第１列及び第２列に同一間隔で平行に形成される。望ましくは、補助金属電極５１４Ｃ、５１６Ｃは四角形の形状を有する。このような補助金属電極５１４Ｃ、５１６Ｃの各々は、金属電極５１４Ｂ、５１６Ｂによって発生した放電を、セルの縁の方に広げる役割を果たす。
【００５５】
このように、不活性ガス中のキセノン（Ｘｅ）の含量が増加しても、本発明の第２実施形態の変形例におけるＰＤＰは、放電時の放電開始電圧及び放電維持電圧を減少させることができ、また、放電遅延時間を減少させて放電の安定性を向上させることができる。すなわち、本発明の第２実施形態の変形例におけるＰＤＰは、金属電極５１４Ｂ、５１６Ｂの間の距離が近いことにより、放電時に放電セルの中心部に強い電界を発生させて、金属電極５１４Ｂ、５１６Ｂによって発生した放電を、多数の補助金属電極５１４Ｃ、５１６Ｃを通じて放電セルの縁の方に広げるものである。これによって、本発明では、放電開始電圧及び放電維持電圧を減少させると共に、輝度及び効率を向上させることができる。また、本発明の第２実施形態の変形例におけるＰＤＰは、放電開始電圧及び放電遅延時間を減少させることによって、放電の安定性を向上させることができる。
【００５６】
図１７は、本発明の第２実施形態の他の変形例におけるプラズマディスプレイパネルの維持電極対を示す平面図である。
【００５７】
本発明の第２実施形態の他の変形例によると、維持電極対６１４、６１６を成す維持電極の各々は、透明電極６１４Ａ、６１６Ａと、透明電極上に形成される金属電極６１４Ｂ、６１６Ｂ及び補助金属電極６１４Ｃ、６１６Ｃとからなる。このとき、維持電極対６１４、６１６の各透明電極６１４Ａ、６１６Ａは、所定のギャップを挟んで対向している。
【００５８】
透明電極６１４Ａ、６１６Ａは、相対的に広い幅を有するストライプ形態であり、可視光透過のために透明電極材料（ＩＴＯ）からなる。各金属電極６１４Ｂ、６１６Ｂは、図１７に示すように、透明電極６１４Ａ、６１６Ａ上の、透明電極６１４Ａ、６１６Ａの各々の中心部と放電セルの中心部との間に形成される。
【００５９】
つまり、金属電極６１４Ｂ、６１６Ｂの各々は、透明電極６１４Ａ、６１６Ａの各々が対向する辺の方に偏って位置するように透明電極６１４Ａ、６１６Ａの各々に形成される。このような金属電極６１４Ｂ、６１６Ｂの各々は、放電時に放電セルの中央部の電界強度を増大させて放電遅延時間と放電開始電圧を減少させる。
【００６０】
補助金属電極６１４Ｃ、６１６Ｃの各々は、図１７に示すように、透明電極の幅よりも小さなサイズのストライプ形態であり、透明電極６１４Ａ、６１６Ａの各々の端と金属電極６１４Ｂ、６１６Ｂとの間に、３つの電極が三角形の形態を成すように同一間隔で平行に形成される。望ましくは、補助金属電極６１４Ｃ、６１６Ｃは、四角形の形状を有する。このような補助金属電極６１４Ｃ、６１６Ｃの各々は、金属電極６１４Ｂ、６１６Ｂによって発生した放電を、セルの縁の方に広げる役割を果たす。
【００６１】
このように、不活性ガス中のキセノン（Ｘｅ）の含量が増加しても、本発明の第２実施形態の他の変形例におけるＰＤＰは、放電時の放電開始電圧及び放電維持電圧を減少させることができる、放電遅延時間を減少させて放電の安定性を向上させることができる。すなわち、本発明の第２実施形態の他の変形例におけるＰＤＰは、金属電極６１４Ｂ、６１６Ｂの間の距離が近いことにより、放電時に放電セルの中心部に強い電界を発生させて、金属電極６１４Ｂ、６１６Ｂによって発生した放電を、多数の補助金属電極６１４Ｃ、６１６Ｃを通じて放電セルの縁の方に広げるものである。これによって、本発明では、放電開始電圧及び放電維持電圧を減少させると共に、輝度及び効率を向上させることができる。また、本発明の第２実施形態の他の変形例におけるＰＤＰは、放電開始電圧及び放電遅延時間を減少させることによって、放電の安定性を向上させることができる。
【図面の簡単な説明】
【００６２】
【図１】本発明の第１実施形態におけるプラズマディスプレイパネルの放電セルを示した斜視図である。
【図２】図１に示す本発明の第１実施形態における維持電極対を示した平面図である。
【図３】図２に示す維持電極対のＡ−Ａ´断面図である。
【図４】図２に示す維持電極対の放電時に発生する電流密度を示した図である。
【図５】図２に示す維持電極対の放電によって放電セルの中心部から外方に広がる放電現象を示した図である。
【図６】放電電圧に対する輝度について、本発明の第１実施形態と従来技術との比較を示したグラフである。
【図７】放電電圧に対する効率について、本発明の第１実施形態と従来技術との比較を示したグラフである。
【図８】本発明の第１実施形態の変形例における維持電極対を示した平面図である。
【図９】図８に示す維持電極対のＢ−Ｂ´断面図である。
【図１０】本発明の第１実施形態の他の変形例における維持電極対を示した平面図である。
【図１１】本発明の第２実施形態におけるプラズマディスプレイパネルの放電セルを示した斜視図である。
【図１２】図１１に示す維持電極対を示した平面図である。
【図１３】図１２に示す維持電極対のＡ−Ａ´断面図である。
【図１４】放電電圧に対する輝度について、本発明の第２実施形態と従来技術との比較を示したグラフである。
【図１５】放電電圧に対する効率について、本発明の第２実施形態と従来技術との比較を示したグラフである。
【図１６】本発明の第２実施形態の変形例におけるプラズマディスプレイパネルの維持電極対を示した平面図である。
【図１７】本発明の第２実施形態の他の変形例におけるプラズマディスプレイパネルの維持電極対を示した平面図である。
【図１８】従来のプラズマディスプレイパネルの放電セルを示す斜視図である。
【図１９】図１８に示す維持電極対を示す平面図である。
【符号の説明】
【００６３】
１１４、２１４、３１４、４１４、５１４、６１４  走査電極
１１６、２１６、３１６、４１６、５１６、６１６  維持電極
１１４Ａ、１１６Ａ、２１４Ａ、２１６Ａ、...、６１４Ａ、６１６Ａ  透明電極
１１４Ｂ、１１６Ｂ、２１４Ｂ、２１６Ｂ、...、６１４Ｂ、６１６Ｂ  金属電極
１１４Ｃ、１１６Ｃ、２１４Ｃ、２１６Ｃ、．．．、６１４Ｃ、６１６Ｃ  補助金属電極
【図１】
2004296442.tif 000003
【図２】
2004296442.tif 000004
【図３】
2004296442.tif 000005
【図６】
2004296442.tif 000006
【図７】
2004296442.tif 000007
【図８】
2004296442.tif 000008
【図９】
2004296442.tif 000009
【図１０】
2004296442.tif 000010
【図１１】
2004296442.tif 000011
【図１２】
2004296442.tif 000012
【図１３】
2004296442.tif 000013
【図１４】
2004296442.tif 000014
【図１５】
2004296442.tif 000015
【図１６】
2004296442.tif 000016
【図１７】
2004296442.tif 000017
【図１８】
2004296442.tif 000018
【図１９】
2004296442.tif 000019
【図４】
2004296442.tif 000020
【図５】
2004296442.tif 000021